(57)【要約】【課題】書籍を確実に支持しながら、棚板の幅方向においてスムーズに移動操作可能なブックサポート装置を提供する。【解決手段】複数の棚板８を有する書架２に設置され、棚板８の載置面に並立している書籍Ｂの倒れを防ぐように支持するブックサポート装置１において、書架２は載置面の幅方向に延びる支持レール１２を備え、ブックサポート装置１は、支持レール１２の長手方向に延び、支持レール１２に摺動可能に遊嵌される嵌合部２０と、嵌合部２０から支持レール１２に交差する方向に延びる仕切部２１とを備え、仕切部２１の傾動によって嵌合部２０における支持レール１２の長手方向の両側が支持レール１２に対して係合するようにした。【選択図】図３
2019213674.tif 000002
【特許請求の範囲】
【請求項１】
複数の棚板を有する書架に設置され、棚板の載置面に並立している書籍類の倒れを防ぐように支持するブックサポート装置において、
前記書架は前記載置面の幅方向に延びる支持レールを備え、
前記ブックサポート装置は、前記支持レールの長手方向に延び、該支持レールに摺動可能に遊嵌される嵌合部と、該嵌合部から前記支持レールに交差する方向に延びる仕切部とを備え、
前記仕切部の傾動によって前記嵌合部における前記支持レールの長手方向の両側が前記支持レールに対して係合することを特徴とするブックサポート装置。
【請求項２】
前記ブックサポート装置の嵌合部は、前記棚板の前方かつ上方に設けられた前記支持レールに摺動可能に遊嵌されることを特徴とする請求項１に記載のブックサポート装置。
【請求項３】
前記仕切部は、前記嵌合部から前記棚板の斜め奥行方向に延びて形成されていることを特徴とする請求項１または２に記載のブックサポート装置。
【請求項４】
前記嵌合部と前記仕切部とは、合成樹脂により一体に形成されていることを特徴とする請求項１ないし３のいずれかに記載のブックサポート装置。
【請求項５】
前記仕切部は、自由端側が前記嵌合部側に比べて前記載置面の幅方向に薄く形成されていることを特徴とする請求項１ないし４のいずれかに記載のブックサポート装置。
【請求項６】
前記嵌合部は、前記支持レールの長手方向かつ上端部に複数の引掛部を備え、前記引掛部の下方に前記支持レールに対向する当接面部を有することを特徴とする請求項１ないし５のいずれかに記載のブックサポート装置。
【発明の詳細な説明】
【技術分野】
【０００１】
本発明は、棚板の載置面に並立している書籍類の倒れを防ぐように支持するブックサポート装置に関する。
【背景技術】
【０００２】
上下に複数の棚板を備えた書架においては、間口方向に延びて設けられた棚板の載置面に並立して収納された書籍が倒れるのを防止するために、従来からブックサポート装置が使用されている（例えば特許文献１）。特許文献１のブックサポート装置は、金属製の線材を屈曲して形成され、当該棚板よりも上方の棚板の下面に形成された一対の支持レールに係止される一対の係止部と、略矩形状枠に形成されて支持レールから下方に延在して書籍を支持可能な支持部と、係止部と支持部とを接続する接続部と、を備えて構成されている。このようなブックサポート装置は、一対の支持レールの内面に対して線材の弾性復帰力により一対の係止部が押し付けられるように取り付けられており、これらの間に作用する摩擦力で棚板の幅方向への移動が規制される構造となっている。
【０００３】
【特許文献１】特許第３４１２７５８号公報（第４頁、第２図）
【発明の開示】
【発明が解決しようとする課題】
【０００４】
このようなブックサポート装置が利用される書架にあっては、書籍の出し入れにより棚板の載置面の上の書籍の増減があった場合、書籍の倒れを確実に防止するために、棚板の幅方向においてブックサポート装置を移動させ、支持部の位置を調整する位置調整作業が頻繁に行われている。特許文献１のようなブックサポート装置にあっては、線材の弾性復帰力により、書籍凭れ掛かる書籍の重みでブックサポート装置が棚板の幅方向において移動することを防止しているため、ブックサポート装置を移動させる際には一対の係止部を近接せしめた状態とする必要があり、移動操作が煩雑であった。一方で、仮に一対の係止部が離間する方向の弾性復帰力を弱めた構造とした場合、一対の支持レールとの間に作用する摩擦力が弱まり、移動操作をスムーズにすることができる反面、支持部に凭れ掛かる書籍の重みでブックサポート装置が棚板の幅方向において移動してしまう虞があった。
【０００５】
本発明は、このような問題点に着目してなされたもので、書籍を確実に支持しながら、棚板の幅方向においてスムーズに移動操作可能なブックサポート装置を提供することを目的とする。
【課題を解決するための手段】
【０００６】
前記課題を解決するために、本発明のブックサポート装置は、
複数の棚板を有する書架に設置され、棚板の載置面に並立している書籍類の倒れを防ぐように支持するブックサポート装置において、
前記書架は前記載置面の幅方向に延びる支持レールを備え、
前記ブックサポート装置は、前記支持レールの長手方向に延び、該支持レールに摺動可能に遊嵌される嵌合部と、該嵌合部から前記支持レールに交差する方向に延びる仕切部とを備え、
前記仕切部の傾動によって前記嵌合部における前記支持レールの長手方向の両側が前記支持レールに対して係合することを特徴としている。
この特徴によれば、棚板の載置面に並立している書籍は、仕切部に凭れて支持されるようになっており、この書籍の支持により仕切部が傾動し、嵌合部が長手方向の両側で支持レールに係合されるため、仕切部に凭れ掛かる書籍の重みに抗してブックサポート装置の移動を防止でき、書籍を確実に支持することができる。加えて、仕切部の根元を持ってブックサポート装置を移動させる場合には、仕切部が傾動し難いため嵌合部と支持レールとが係合せず、ブックサポート装置を支持レールに沿ってスムーズに移動させることができる。
【０００７】
前記ブックサポート装置の嵌合部は、前記棚板の前方かつ上方に設けられた前記支持レールに摺動可能に遊嵌されることを特徴としている。
この特徴によれば、嵌合部と仕切部の根元が棚板の前方かつ上方に位置するため、書架の正面側からブックサポート装置を支持レールに沿って移動させ易い。
【０００８】
前記仕切部は、前記嵌合部から前記棚板の斜め奥行方向に延びて形成されていることを特徴としている。
この特徴によれば、仕切部を前方から奥行方向に斜めに延設したことで、書籍を支持する際に仕切部には、様々な方向から外力が作用し、この外力により嵌合部と支持レールとが多面で当接し、支持力が高められる。
【０００９】
前記嵌合部と前記仕切部とは、合成樹脂により一体に形成されていることを特徴としている。
この特徴によれば、一体に形成されていることから曲げ強度が高く仕切部の傾動により嵌合部が支持レールに係合しやすいことに加え、係合時の嵌合部と支持レールとの摩擦力を高くでき、書籍を確実に支持することができる。
【００１０】
前記仕切部は、自由端側が前記嵌合部側に比べて前記載置面の幅方向に薄く形成されていることを特徴としている。
この特徴によれば、自由端側を薄く形成することで、書籍へ干渉し難くしながら、仕切部の根元の厚みを確保してブックサポート装置の移動操作を行い易い。
【００１１】
前記嵌合部は、前記支持レールの長手方向かつ上端部に複数の引掛部を備え、前記引掛部の下方に前記支持レールに対向する当接面部を有することを特徴としている。
この特徴によれば、ブックサポート装置の移動操作時には、当接面部が支持レールに対して摺動し、係合状態を防止した状態で移動を案内でき、ブックサポート装置の移動させることができる。
【図面の簡単な説明】
【００１２】
【図１】本発明の実施例におけるブックサポート装置が利用される書架を示す斜視図である。
【図２】棚段の固定構造を示す一部拡大分解斜視図である。
【図３】ブックサポート装置と支持レールとの支持構造を示す斜視図である。
【図４】ブックサポート装置と支持レールとの支持構造を示す側断面図である。
【図５】（ａ）はブックサポート装置を正面側から見た斜視図であり、（ｂ）は背面側から見た斜視図である。
【図６】（ａ）はブックサポート装置を示す側面図であり、（ｂ）は正面図である。
【図７】ブックサポート装置と支持レールとの支持構造を示す正断面図である。
【図８】ブックサポート装置と支持レールとの係合構造を示す正断面図である。
【図９】ブックサポート装置と支持レールとの係合構造を示す上断面図である。
【図１０】ブックサポート装置を支持レールに沿って移動させる様子を示す正断面図である。
【発明を実施するための形態】
【００１３】
本発明に係るブックサポート装置を実施するための形態を実施例に基づいて以下に説明する。
【実施例】
【００１４】
実施例に係るブックサポート装置につき、図１から図１０を参照して説明する。以下、図１の紙面右下側をブックサポート装置が用いられる書架の正面側（前方側）とし、その前方側から見たときの上下左右方向を基準として説明する。
【００１５】
図１に示されるように、ブックサポート装置１は、書架２の棚段３，３，…上に陳列された複数冊の書籍Ｂの倒れを防止する装置である。本実施例の書架２は、図書館等の施設で利用され、上下に複数の棚段３，３，…を備えている。
【００１６】
図１に示されるように、書架２は、左右に所定間隔離間して起立する一対の支柱４，４と、支柱４，４の上端部と下端部との対向面同士を連結している横連結杆５，５と、支柱４，４の前面に支持された上下複数段の棚段３，３，…と、から主に構成されており、各棚段３には書籍Ｂが陳列可能となっている。支柱４は、脚部６を有して自立可能となっているとともに、支柱４の前面４ａには、係合孔７，７，…が上下方向に多数並んで設けられている。
【００１７】
図２に示されるように、棚段３は、上面が載置面である棚板８と、棚板８の幅方向両端部に固定された側板９，９と、側板９，９の間に架設された背部ストッパ部材１１と、から主に構成されている。側板９の後方側端部には、鈎状の係止片１０，１０，…が上下方向に形成されており、これら係止片１０，１０，…が支柱４の係合孔７，７，…に係合されて、側板９，９と棚板８とが支柱４，４の間に支持されている。また、背部ストッパ部材１１は、後方側に開口する断面視略コ字状に形成され、図示しない固定手段により側板９，９の後方かつ下方にそれぞれ両端部が固定されている。
【００１８】
図３に示されるように、棚板８は、前後方向に２枚並列された板材８Ａと板材８Ｂとが溶接等の固定手段により連結されて構成されている。板材８Ａ，８Ｂは、金属の板材から成り、それぞれ前後方向の端縁が内側に向けて２回屈曲されて、断面視で略Ｊ字状の支持レール１２，１２が棚板８の長手方向に渡って形成されている。
【００１９】
図３と図４に示されるように、ブックサポート装置１は、嵌合部２０が上段の棚板８に形成された前方の支持レール１２の起立壁部１３と底壁部１４とを抱き込むように遊嵌されて、当該支持レール１２に支持されている。尚、嵌合部２０を起点として後述する仕切部２１を奥行方向に引き上げることで、遊嵌状態を簡単に解除することができる。また、図１，２に示されるように、最上段の棚板８におけるブックサポート装置１は、嵌合部２０が背部ストッパ部材１１の直交する片１１ａ，１１ｂを抱き込むように遊嵌されて、当該背部ストッパ部材１１に支持されている。このとき、背部ストッパ部材１１は棚板８の延長方向に一定の断面形状で形成されており、支持レールとして機能する。
【００２０】
図５（ａ），（ｂ）及び図６に示されるように、ブックサポート装置１は、支持レール１２に摺動可能に遊嵌される嵌合部２０と、嵌合部２０から支持レール１２に交差する方向に延びる片持ちアーム状の仕切部２１とを備え、これら嵌合部２０と仕切部２１とは合成樹脂の射出成形で一体に形成されている。嵌合部２０は、幅方向（遊嵌時における支持レール１２の長手方向）に所定寸法を有して形成されており、仕切部２１は、嵌合部２０の幅方向の略中央から正面視で略直角に延設されており、ブックサポート装置１は、これら嵌合部２０と仕切部２１とにより正面視で略Ｔ字状を成している。
【００２１】
図５に示されるように、嵌合部２０の下方側は平板状部２２を形成しており、その上面は支持レールの底壁部１４の底面１４ａ（図４参照）に対向する当接面部２３を構成し、上方側には当接面部２３に対向し、支持レール１２の起立壁部１３の上端に外嵌する引掛部２４が幅方向に離間して一対設けられている。嵌合部２０は、引掛部２４，２４と当接面部２３とが上下に延びる壁部２５により接続されて、側面視で略コ字状を成している。
【００２２】
嵌合部２０の平板状部２２の上面には、外縁部を残して下方に凹む凹部２２ａが形成されており、当接面部２３の占める面積が小さくなっている。
【００２３】
ブックサポート装置１の嵌合部２０を支持レール１２に遊嵌させる際には、図４に示されるように、ブックサポート装置１を斜めにし、引掛部２４，２４を支持レール１２の起立壁部１３と板材８Ａの下面との間に差し込み、引掛部２４，２４を起立壁部１３の上端に掛けた状態とし、その後、起立壁部１３の上端とを支点としてブックサポート装置１の仕切部２１を回動させ、平板状部２２を底壁部１４の下に移動させる。ブックサポート装置１の支持レール１２への支持状態については後述する。
【００２４】
図５（ａ），（ｂ）及び図６に示されるように、仕切部２１は、嵌合部２０に交差する方向に延びて平板状に形成される本体部２６を備え、本体部２６の一方の端部が嵌合部２０の壁部２５の略中央における引掛部２４及び当接面部２３の突出方向と反対方向に接続されている。また、本体部２６の自由端側には引掛部２４及び当接面部２３の突出方向と反対方向に延設部２７が延設されており、ブックサポート装置１は、嵌合部２０と仕切部２１を構成する本体部２６と延設部２７とにより側面視で略Ｚ字状を成している。
【００２５】
本体部２６における嵌合部２０の壁部２５との接続部分である根元部２８は、本体部２６のその他の部分に比べて幅方向における厚みが大きく形成されている。また、仕切部２１における根元部２８より自由端側には、外縁部を残して表面と裏面とから内側に凹む凹部２９，２９が形成されており、凹部２９，２９が形成されている部分の嵌合部２０の幅方向における厚みが更に薄くなっている。
【００２６】
また、本体部２６の前後方向（支持レール１２との遊嵌時における棚板８の奥行き方向）の寸法は、根元部２８から自由端側に向けて漸次広くなるように形成されている。
【００２７】
続いて、ブックサポート装置１による書籍の倒れを防止する態様について、図７から図９を用いて説明する。
【００２８】
図７は、支持レール１２にブックサポート装置１の嵌合部２０が遊嵌され、書籍Ｂが凭れ掛かかっていない状態を示す正面視における図である。この状態では、支持レール１２の起立壁部１３の上端１３ａに、嵌合部２０の引掛部２４，２４の天部内面２４ａ，２４ａが支持レール１２の長手方向にそれぞれ離間して当接するとともに、図２に示されるように、壁部２５における内面２５ａが支持レール１２の角部１５に当接しており、これら引掛部２４，２４によりブックサポート装置１が支持レール１２に安定的に吊支されている。
【００２９】
図７に示されるように、嵌合部２０の引掛部２４，２４の天部内面２４ａ，２４ａと、当接面部２３との離間距離は、支持レール１２の起立壁部１３の上端１３ａから底壁部１４の底面１４ａまでの上下寸法より若干大きく形成されている。そのため、嵌合部２０の引掛部２４，２４の天部内面２４ａ，２４ａが起立壁部１３の上端１３ａに共に当接している状態においては、嵌合部２０の当接面部２３と支持レール１２の底壁部１４の底面１４ａとが若干離間した状態となる。
【００３０】
図８は、支持レール１２にブックサポート装置１の嵌合部２０が遊嵌され、書籍Ｂが仕切部２１に凭れ掛かかった状態を示す正面視における図である。この状態では、書籍Ｂの荷重が仕切部２１の自由端部側に作用（白矢印にて図示）し、これによりブックサポート装置１は、書籍Ｂ側の引掛部２４の天部内面２４ａの書籍Ｂ側の角部２４０ａと起立壁部１３の上端１３ａとの接点を支点として傾動している（黒矢印にて図示）。
【００３１】
また、ブックサポート装置１が傾動することで、引掛部２４における書籍Ｂ側の角部２４０ａと起立壁部１３の上端１３ａとの当接に加えて、当接面部２３の書籍Ｂと反対側の角部２３０と底壁部１４の底面１４ａとが当接し、図７で示した吊支状態から、嵌合部２０の一方の引掛部２４と当接面部２３とにより支持レール１２が上下方向で挟持された係合状態に切り替わる。
【００３２】
そして、これら書籍Ｂ側の引掛部２４の書籍Ｂ側の角部２４０ａと起立壁部１３の上端１３ａとの接点と、当接面部２３の書籍Ｂと反対側の角部２３０と底壁部１４の底面１４ａとの接点とに、書籍Ｂの荷重によるブックサポート装置１の傾動時の回転モーメントに起因して作用する力が集中し、これら接点における摩擦力が高められ、仕切部２１に凭れ掛かる書籍Ｂの重みに抗してブックサポート装置１の支持レール１２の延長方向における移動を防止でき、ブックサポート装置１により書籍Ｂを確実に支持することができる。
【００３３】
図９は、書籍Ｂが仕切部２１に凭れ掛かかった状態を示す上面視における図である。この状態では、書籍Ｂが水平方向に傾斜し、かつ書籍Ｂの荷重が仕切部２１の自由端部側に作用（白矢印にて図示）しており、これによりブックサポート装置１が水平方向に傾動している（黒矢印にて図示）。尚、この図では、ブックサポート装置１が水平方向に傾動した状態における嵌合部２０と支持レール１２との係合の態様のみを説明するものであり、ここでは説明の都合上図示しないが、実際には図８にて説明したようにブックサポート装置１は垂直方向にも傾動される。
【００３４】
ブックサポート装置１が水平方向に傾動すると、一方側の引掛部２４の垂下片内面２４ｂ（図５（ａ）参照）の書籍Ｂ側の角部２４０ｂと支持レール１２の起立壁部１３の外側面１３ｂとの当接に加えて、嵌合部２０の壁部２５における内面２５ａの書籍Ｂと反対側の角部２５０ａと支持レール１２の起立壁部１３の内側面１３ｃとが当接し、嵌合部２０の一方の引掛部２４と壁部２５とにより支持レール１２が前後方向で挟持された係合状態となる。
【００３５】
このように、一方側の引掛部２４の垂下片内面２４ｂにおける書籍Ｂ側の角部２４０ｂと支持レール１２の起立壁部１３の外側面１３ｂとの接点と、嵌合部２０の壁部２５における内面２５ａの書籍Ｂと反対側の角部２５０ａと支持レール１２の起立壁部１３の内側面１３ｃとの接点とにおける摩擦力が高められ、仕切部２１に凭れ掛かる書籍の重みに抗してブックサポート装置の移動を防止でき、書籍Ｂを確実に支持することができる。
【００３６】
以上説明したように、仕切部２１には、凭れ掛かる書籍Ｂの重みを受ける際に、様々な方向から外力が作用し、この外力により嵌合部２０と支持レール１２とが多くの箇所でスポット的に当接することになり、摩擦力が高まり、書籍Ｂに対する支持力を高めることができる。
【００３７】
図１０は、ブックサポート装置１の位置調整を行う際の態様を示す図である。書籍Ｂの出し入れにより棚板８の上に載置される書籍Ｂの増減があった場合、書籍Ｂの倒れを確実に防止するために、棚板８の幅方向においてブックサポート装置１を移動させることが行われる。ブックサポート装置１の位置調整を行う際には、仕切部２１の根元部２８を把持してブックサポート装置１を支持レール１２に沿って移動させる。
【００３８】
仕切部２１の根元部２８を持ってブックサポート装置１を移動させることで、仕切部２１が安定して傾動し難く、嵌合部２０と支持レール１２とを係合させず、ブックサポート装置１を支持レール１２に沿ってスムーズに移動させることができる。
【００３９】
また、図１０に示されるように、仕切部２１の根元部２８を把持してブックサポート装置１を上方に持ち上げ、嵌合部２０の当接面部２３を支持レール１２の底壁部１４の底面１４ａに面で当接させた状態としてブックサポート装置１を移動させると、嵌合部２０の当接面部２３が支持レール１２の底壁部１４の底面１４ａに案内されて、嵌合部２０の引掛部２４，２４の天部内面２４ａ，２４ａと支持レール１２の起立壁部１３の上端１３ａとの接触を防止でき、更にスムーズにブックサポート装置１を移動させることができる。
【００４０】
上記したように、ブックサポート装置１は、上段の棚板８の下面に設けられた支持レール１２に遊嵌しており、仕切部２１が下段の棚板８の載置面に向けて延びている。そのため、棚板８の載置面に並立している書籍Ｂは、仕切部２１のみに凭れて支持されるようになっており、この書籍Ｂの重みにより仕切部が傾動し、嵌合部２０が長手方向の両側で支持レール１２に係合されるため、仕切部２１に凭れ掛かる書籍Ｂの重みに抗してブックサポート装置１の移動を防止でき、書籍Ｂを確実に支持することができる。加えて、仕切部２１の根元部２８を持ってブックサポート装置１を移動させる場合には、仕切部２１が傾動し難いため嵌合部２０と支持レール１２とが係合せず、ブックサポート装置１を支持レール１２に沿ってスムーズに移動させることができる。
【００４１】
また、図４のようにブックサポート装置１を棚板８の前方側の支持レール１２に遊嵌させた場合、嵌合部２０と仕切部２１の根元部２８が棚板８の前方かつ上方に位置することになり、書架２の正面側からブックサポート装置１の根元部２８を把持し易い。
【００４２】
また、ブックサポート装置１を前方側の支持レール１２に遊嵌させた状態において、仕切部２１は嵌合部２０から棚板８の斜め奥行方向に延びて配置される。これによれば、仕切部２１を前方から奥行方向に斜めに延設したことで、書籍Ｂを支持する際に仕切部２１には、図８，図９で示したように、凭れ掛かる書籍Ｂの重みにより様々な方向から外力が作用し、この外力により嵌合部２０と支持レール１２とが多面で当接し、支持力が高められる。
【００４３】
また、嵌合部２０と仕切部２１とは、合成樹脂により一体に形成されていることから接続強度が高いことに加え、係合時の嵌合部２０と金属製の支持レール１２との間に生じる摩擦力を高くでき、書籍Ｂを確実に支持することができる。
【００４４】
また、仕切部２１は、自由端側が嵌合部２０側に比べて載置面の幅方向に薄く形成されているため、書籍Ｂに干渉し難く、かつ棚段３における書籍Ｂの収納量を十分に確保しながら、仕切部２１の根元部２８の厚みを確保してブックサポート装置１の移動操作を行い易い。
【００４５】
また、仕切部２１の自由端側に延設された延設部２７が書籍Ｂの表表紙または裏表紙の奥行き方向に延びて当接可能であるため、書籍Ｂの荷重による様々な方向からの外力を仕切部２１に作用させることができ、嵌合部２０と支持レール１２とが多面で当接し、支持力が高められる。
【００４６】
また、仕切部２１は根元部２８側の奥行方向の寸法が自由端側に比べて小さくなっていることから、特に仕切部２１の上端側、即ち根元部２８側での書籍Ｂとの当接面積を小さくでき、書籍Ｂの荷重によるブックサポート装置１の移動を効果的に防止できるとともに、自由端側における書籍Ｂとの当接面積を確保して、書籍Ｂの荷重による様々な方向からの外力を仕切部２１に作用させることができる。
【００４７】
また、嵌合部２０は、支持レール１２の延長方向に延びて形成されており、嵌合部２０の幅方向の略中央に仕切部２１が連続して形成されている正面視で略Ｔ字状であるため、引掛部２４，２４が仕切部２１を挟んで両側に位置し、ブックサポート装置１の左右いずれにおいても書籍Ｂを確実に支持することができる。
【００４８】
また、引掛部２４，２４は、根元部２８を挟んで支持レール１２の延長方向に離間して形成されているため、ブックサポート装置１の傾動において支持レール１２と当接しない引掛部２４，２４同士の間の部材を省略でき、製造コストを抑えることができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、嵌合部２０と仕切部２１とは、合成樹脂により一体に形成されている構成に限らず、別個の部材を接続固定してもよく、根元部２８に関しても書籍Ｂと当接する部材と別個の部材で形成されていてもよい。
【００５１】
また、仕切部２１は、支持レール１２の延長方向と直交して延設されることで、凭れ掛かる書籍Ｂを十分に支持できる構造であれば、仕切部２１の構造は限定されず、例えば本体部２６を奥行方向に伸びる平板状の略矩形に形成して延設部２７を省略してもよい。
【００５２】
また、ブックサポート装置１と支持レール１２との係合は摩擦による係合に限らず、例えば引掛部２４，２４と当接面部２３に凸部を設け、支持レール１２の起立壁部１３の上端１３ａ及び底壁部１４の底面１４ａに対応する凹部を設け、ブックサポート装置１の傾動によりこれら凸部と凹部とが係合することで、支持レール１２の延長方向への移動が規制される構成としてもよい。
【符号の説明】
【００５３】
１                ブックサポート装置
２                書架
３                棚段
４                支柱
８                棚板
８Ａ，８Ｂ        板材
１１              背部ストッパ部材（支持レール）
１２              支持レール
１３              起立壁部
１３ａ            上端
１３ｂ            外側面
１３ｃ            内側面
１４              底壁部
１４ａ            底面
２０              嵌合部
２１              仕切部
２２ａ            凹部
２３              当接面部（嵌合部）
２４              引掛部（嵌合部）
２４ａ        天部内面
２４ｂ        垂下片内面
２５              壁部
２５ａ            内面
２６              本体部
２７              延設部
２８              根元部
２３０            角部
２４０ａ          角部
２４０ｂ          角部
２５０ａ          角部
Ｂ                書籍
【図１】
2019213674.tif 000003
【図２】
2019213674.tif 000004
【図３】
2019213674.tif 000005
【図４】
2019213674.tif 000006
【図５】
2019213674.tif 000007
【図６】
2019213674.tif 000008
【図７】
2019213674.tif 000009
【図８】
2019213674.tif 000010
【図９】
2019213674.tif 000011
【図１０】
2019213674.tif 000012